(57)【要約】【課題】節水型のトイレ装置及び汚物処理方法を提供すること。【解決手段】上端開口および汚物落下口を有するボール部、このボール部の上面側に開閉自在に設置される便座及びカバー、汚物落下口に汚物貯留部を介して連通する排出部を有する便器を備えるトイレ装置に於いて、便器に、汚物落下口を開閉する汚物受け体が設けられた水平回転軸を駆動する第１駆動ユニットと、この第１駆動ユニットを昇降動させる第２駆動ユニットと、汚物貯留部と前記排出部を仕切るせき止め体を開閉させる第３駆動ユニットと、汚物受け体の受け面に対して洗浄水を噴射する噴射ノズルを有する第４駆動ユニットをそれぞれ設け、第１駆動ユニット乃至第４駆動ユニットの駆動は、それぞれ情報処理手段により制御されるトイレ装置。【選択図】図４
2018184721.tif 000002
【特許請求の範囲】
【請求項１】
上端開口および汚物落下口を有するボール部と、このボール部の上面側に開閉自在に設置される便座及びカバーと、前記汚物落下口に汚物貯留部を介して連通する排出部を有する便器を備えるトイレ装置に於いて、
前記便器に、前記汚物落下口を開閉する汚物受け体が一体的に設けられた水平回転軸を駆動する第１駆動ユニットと、この第１駆動ユニットを昇降動させる第２駆動ユニットと、前記汚物貯留部と前記排出部を仕切るせき止め体を開閉させる第３駆動ユニットと、前記汚物受け体の受け面に対して洗浄水を噴射する噴射ノズルを有する第４駆動ユニットをそれぞれ設け、前記第１駆動ユニット乃至第４駆動ユニットの各駆動は、それぞれ情報処理手段により制御されるトイレ装置。
【請求項２】
請求項１のトイレ装置に於いて、少なくとも汚物受け体の周縁又は汚物落下口の周縁のいずれかにパッキンが一体的に設けられていることを特徴するトイレ装置。
【請求項３】
請求項１のトイレ装置に於いて、第１駆動ユニットは、少なくとも一つの第２駆動ユニットの垂直螺杆に螺合する螺合部材と、この螺合部材に固定された第１のモータと、この第１モータの出力軸に一端部が結合する水平回転軸を備えていることを特徴するトイレ装置。
【請求項４】
請求項３のトイレ装置に於いて、水平回転軸の他端部は、一つの第２駆動ユニットと対をなす他の第２駆動ユニットの第２垂直螺杆に螺合する螺合部材に支持されていることを特徴するトイレ装置。
【請求項５】
請求項１のトイレ装置に於いて、便器本体内の対向するガイドレールに嵌め込まれたせき止め体は、第３駆動ユニットの第３モータで回転するピニオンと螺合するラックを一側面に有することを特徴するトイレ装置。
【請求項６】
受け面で汚物を受け止めた汚物受け体を所要量下げる汚物受け体下降工程Ａと、前記汚物受け体を所要量回転させる第１の汚物受け体回転工程Ｂと、前記第１の汚物受け体回転工程により汚物貯留部内の洗浄済みの残留水に混入した前記汚物を排水路に流すためにせき止め体を開放するせき止め体開放工程Ｃと、前記汚物が排水路に流れた後に、前記汚物貯留部と排水路の間を前記せき止め体でせき止めるせき止め工程Ｄと、次に、汚物受け体の下向き受け面をノズルの噴射により洗浄する局部的洗浄工程Ｅと、さらに、前記汚物受け体の受け面を上向きにする第２の汚物受け体回転工程Ｆと、最終に、前記汚物受け体の周縁部で汚物落下口を閉じる汚物落下口閉鎖工程Ｇとを含み、前記各工程の駆動ユニットの駆動は、情報処理手段により制御されることを特徴するトイレ装置の汚物処理方法。
【請求項７】
上端開口および汚物落下口を有するボール部と、このボール部の上面側に開閉自在に設置される便座及びカバーと、前記汚物落下口に汚物貯留部を介して連通する排出部を有する便器を備えるトイレ装置に於いて、
前記便器に、前記汚物落下口を開閉する汚物受け体が一体的に設けられた水平回転軸を駆動する第１駆動ユニットと、前記汚物貯留部と前記排出部を仕切るせき止め体を開閉させる第３駆動ユニットと、前記水平回転軸と共に回転可能な前記汚物受け体の受け面に対して洗浄水を噴射する噴射ノズルを有する第４駆動ユニットをそれぞれ設け、
一方、前記第１駆動ユニットを昇降動させる第２駆動ユニットは存在せず、
そして、前記第１駆動ユニットと第３駆動ユニットと第４駆動ユニットの各駆動は、それぞれ情報処理手段により制御されるトイレ装置。
【請求項８】
請求項７のトイレ装置に於いて、ボール部の汚物落下口に周設した環状軸受け部に汚物受け体を有する水平回転軸が軸支されていることを特徴するトイレ装置。
【請求項９】
請求項７のトイレ装置に於いて、水平回転軸は汚物受け体の略中心部を通っていることを特徴するトイレ装置。
【請求項１０】
上端開口および汚物落下口を有するボール部と、このボール部の上面側に開閉自在に設置される便座及びカバーと、前記汚物落下口に汚物貯留部を介して連通する排出部を有する便器を備えるトイレ装置に於いて、
前記便器に、前記汚物落下口を開閉する二分割の汚物受け体がそれぞれ一体的に設けられた一対の水平回転軸を駆動する第１駆動ユニットと、前記汚物貯留部と前記排出部を仕切るせき止め体を開閉させる第３駆動ユニットと、前記一対の水平回転軸と共に回転可能な前記二分割の汚物受け体の受け面に対してそれぞれ洗浄水を噴射する複数の噴射ノズルを有する第４駆動ユニットをそれぞれ設け、
一方、前記第１駆動ユニットを昇降動させる第２駆動ユニットは存在せず、そして、前記第１駆動ユニットと第３駆動ユニットと第４駆動ユニットの各駆動は、それぞれ情報処理手段により制御されるトイレ装置。
【請求項１１】
請求項１０のトイレ装置に於いて、第１駆動ユニットは、大小の歯車群を有する同期手段であることを特徴するトイレ装置。
【請求項１２】
上端開口および汚物落下口を有するボール部と、このボール部の上面側に開閉自在に設置される便座及びカバーと、前記汚物落下口に汚物受け体可動用収納空間を介して連通する排出部を有する便器を備えるトイレ装置に於いて、
前記便器に、前記汚物落下口を開閉する汚物受け体の基端部が片持ち式に一体的に設けられた水平回転軸を駆動する第１駆動ユニットと前記汚物受け体の受け面に対して洗浄水を噴射する噴射ノズルを有する第４駆動ユニットをそれぞれ設け、
一方、前記第１駆動ユニットを昇降動させる第２駆動ユニット及び前記汚物受け体可動用収納空間と前記排出部を仕切るせき止め体を開閉させる第３駆動ユニットは存在せず、そして、前記第１駆動ユニット及び第４駆動ユニットの各駆動は、それぞれ情報処理手段により制御されるトイレ装置。
【請求項１３】
請求項１２のトイレ装置に於いて、第１駆動ユニットは、駆動源と、この駆動源の駆動力を直線運動から回転運動に変換するラック部材及びピニオンを含む動力変換手段と、前記ピニオンに連係する水平回転軸から成ることを特徴するトイレ装置。
【請求項１４】
上端開口および汚物落下口を有するボール部と、このボール部の上面側に開閉自在に設置される便座及びカバーと、前記汚物落下口に汚物受け体可動用収納空間を介して連通する排出部を有する便器を備えるトイレ装置であって、
前記便器に、前記汚物落下口を開閉すると共に、常態時、臭い逆流防止用の水を貯めることができる凹所形状の汚物受け体の基端部が片持ち式に一体的に設けられた水平回転軸を駆動する第１駆動ユニットと、前記汚物受け体の受け面に対して洗浄水を噴射する噴射ノズルを有する第４駆動ユニットをそれぞれ設け、
一方、前記第１駆動ユニットを昇降動させる第２駆動ユニット及び前記汚物受け体可動用収納空間と前記排出部を仕切るせき止め体を開閉させる第３駆動ユニットは存在せず、
さらに、前記便器に、常態時、前記排出部の排出孔を閉じる臭い封止弁を開閉自在に設け、そして、前記第１駆動ユニット及び第４駆動ユニットの各駆動は、それぞれ情報処理手段により制御されるトイレ装置。
【請求項１５】
請求項１４のトイレ装置に於いて、ボール部の汚物落下口を形成する周端部は上面凹所状の汚物受け体に略囲まれていることを特徴するトイレ装置。
【請求項１６】
請求項１４のトイレ装置に於いて、第１駆動ユニットを構成する昇降体には、操作レバーの作動端部が連係するように接続し、少なくとも停電時、前記操作レバーを操作すると、第１駆動ユニットの駆動力に代わることを特徴するトイレ装置。
【発明の詳細な説明】
【技術分野】
【０００１】
本発明は、節水型のトイレ装置及び汚物処理方法に関する。
【背景技術】
【０００２】
特許文献１及び特許文献２は、共に「トイレ装置」に関する公知技術である。前者の図面（例えば図６）には、便器本体のボール２ａの便落ち口部２ｂにバランス便皿２０を回転可能に設け、さらに、前記ボール２ａの下方に一体的に配設した漏斗状の排便管７の絞状下端部に大便用遮蔽体３を軸支し、前記大便用遮蔽体３はステッピングモータ４の駆動力に開閉可能である旨の事項」が記載されている（符号は特許文献１のもの）。
【０００３】
しかしながら、この特許文献１に記載のトイレ装置の課題は、「使用者は一切の操作をせずともボール面を十分な量の洗浄水で自動洗浄して綺麗にできると共に、屎尿を便槽に、洗浄水を取水口部に、それぞれ分離して自動回収でき、屎尿と洗浄水を分離する自動水洗装置を提供すること（段落０００６参照）」である。付言すると、特許文献１の発明の目的は、従来のこの種の陶器製便器と同様に、常にボール面を十分な量の洗浄水で自動洗浄することを前提として、洗浄水を循環再使用するために、屎尿を便槽に、一方、洗浄水を取水口部に、それぞれ分離して自動回収するもの」である。
【０００４】
これに対して、後者は節水型便器或いは洗浄水の循環再使用ということを一切考慮せず、便器本体のボール面のみならず、便器本体の上方に設置したカバーも便座も洗浄することを発明の課題としている（段落０００６、段落０００７参照）。
【０００５】
近年、特許文献１、特許文献２等に見られるように、トイレ装置は、「洗浄」及び「乾燥」の自動化が進み、便器、カバーを備える便器本体のみならず、給水を行うタンク、各種の洗浄手段、乾燥装置、情報処理装置等を備えている。しかしながら、自動水洗型のトイレ装置は、いわゆる節水型でないとう問題点がある。そこで、現在、節水型のトイレ装置及びトイレ装置の汚物処理方法の出現が期待されている。
【０００６】
ところで、特許文献３の発明の課題は、脱臭剤などを使用せずに効果的に便器に籠る臭いを除去することができることであり、その構成は「便器本体１内の縁下部に電動吸引型ブロア−５を備えた吸気筒４を据付け、前記吸引型ブロア−５に下向きに接続した排水管２の先端排水口３を便器本体１の排水導入槽６内の水面Ｌ下に臨ませ、便器本体１内に発生する臭気を前記排気口３から強制的に水面Ｌ下に排出させること」である。
【０００７】
この特許文献３は、常態時、便器１の凹所状排水導部６に水を貯め、その水位がボール部の汚物落下口よりもの所要量上方に位置するようにして、前記凹所状排水導部６に連通する下流の排出管９側からの臭いが上流側のボール部に流れ出るのを防止している。このようにボール部の水位を利用して汚物の臭いが便器の外へ流れないように構成することは周知技術である（符号は特許文献３のもの）。
【０００８】
しかしながら、特許文献３も、従来のこの種の陶器製便器と同様に、常にボール面を十分な量の洗浄水で自動洗浄する（特に、大便の時は、水量を大にして綺麗に洗い流す）ことを前提とし、さらに、臭い逆流防止という観点から、前記凹所状排水導部６に予備的に臭い逆流防止用の水を所要量貯めるものであることから、可能な限り節水をすることができるトイレ装置ではない。
【先行技術文献】
【特許文献】
【０００９】
【特許文献１】特許第４２３７７２５号
【特許文献２】特許第５６６６１５２５号
【特許文献３】特開平８−２１８４６４号
【発明の概要】
【発明が解決しようとする課題】
【００１０】
本願発明の主たる課題は、汚物受け体の受け面に対して洗浄水を噴射する噴射ノズルを向けることに着眼し、可能な限り節水をすることができるトイレ装置及びトイレ装置の汚物処理方法を得ることである。第２の目的は、使用者が大便をしたとき、大便を受けた汚物受け体を洗浄することができると共に、該汚物受け体を洗浄するために用いた洗浄水を利用して汚物貯留部或いは汚物受け体可動用収納空間から排出部へと流すことができることである。第３の目的は、可能な限り汚物の臭いが便器の外に漏れないことである。第４の目的は、汚物受け体の洗浄乃至汚物の排出を自動化することである。その他可能に限り製作を容易にし、安価な節水型のトイレ装置を得ることである。
【課題を解決するための手段】
【００１１】
本発明のトイレ装置は、上端開口および汚物落下口を有するボール部と、このボール部の上面側に開閉自在に設置される便座及びカバーと、前記汚物落下口に汚物貯留部を介して連通する排出部を有する便器を備えるトイレ装置に於いて、前記便器に、前記汚物落下口を開閉する汚物受け体が設けられた水平回転軸を駆動する第１駆動ユニットと、この第１駆動ユニットを昇降動させる第２駆動ユニットと、前記汚物貯留部と前記排出部を仕切るせき止め体を開閉させる第３駆動ユニットと、前記汚物受け体の受け面に対して洗浄水を噴射する噴射ノズルを有する第４駆動ユニットをそれぞれ設け、前記第１駆動ユニット乃至第４駆動ユニットの駆動は、それぞれ情報処理手段により制御されることを特徴とする。
【００１２】
また本発明のトイレ装置の汚物処理方法は、受け面で汚物を受け止めた汚物受け体を所要量下げる汚物受け体下降工程Ａと、前記汚物受け体を所要量回転させる第１の汚物受け体回転工程Ｂと、前記第１の汚物受け体回転工程により汚物貯留部内の洗浄済みの残留水に混入した前記汚物を排水路に流すためにせき止め体を開放するせき止め体開放工程Ｃと、前記汚物が排水路に流れた後に、前記汚物貯留部と排水路の間を前記せき止め体でせき止めるせき止め工程Ｄと、次に、汚物受け体の下向き受け面をノズルの噴射により洗浄する局部的洗浄工程Ｅと、さらに、前記汚物受け体の受け面を上向きにする第２の汚物受け体回転工程Ｆと、最終に、前記汚物受け体の周縁部で汚物落下口を閉じる汚物落下口閉鎖工程Ｇとを含み、前記各工程の駆動ユニットの駆動は、情報処理手段により制御されることを特徴する。
【００１３】
また本発明のトイレ装置は、上端開口および汚物落下口を有するボール部と、このボール部の上面側に開閉自在に設置される便座及びカバーと、前記汚物落下口に汚物貯留部を介して連通する排出部を有する便器を備えるトイレ装置に於いて、前記便器に、前記汚物落下口を開閉する汚物受け体が一体的に設けられた水平回転軸を駆動する第１駆動ユニットと、前記汚物貯留部と前記排出部を仕切るせき止め体を開閉させる第３駆動ユニットと、前記水平回転軸と共に回転可能な前記汚物受け体の受け面に対して洗浄水を噴射する噴射ノズルを有する第４駆動ユニットをそれぞれ設け、一方、前記第１駆動ユニットを昇降動させる第２駆動ユニットは存在せず、そして、前記第１駆動ユニットと第３駆動ユニットと第４駆動ユニットの各駆動は、それぞれ情報処理手段により制御されることを特徴とする。
【００１４】
また本発明のトイレ装置は、上端開口および汚物落下口を有するボール部と、このボール部の上面側に開閉自在に設置される便座及びカバーと、前記汚物落下口に汚物受け体可動用収納空間を介して連通する排出部を有する便器を備えるトイレ装置であって、前記便器に、前記汚物落下口を開閉する二分割の汚物受け体がそれぞれ一体的に設けられた一対の水平回転軸を駆動する第１駆動ユニットと、前記汚物貯留部と前記排出部を仕切るせき止め体を開閉させる第３駆動ユニットと、前記一対の水平回転軸と共に回転可能な前記二分割の汚物受け体の受け面に対してそれぞれ洗浄水を噴射する複数の噴射ノズルを有する第４駆動ユニットをそれぞれ設け、一方、前記第１駆動ユニットを昇降動させる第２駆動ユニットは存在せず、そして、前記第１駆動ユニットと第３駆動ユニットと第４駆動ユニットの各駆動は、それぞれ情報処理手段により制御されることを特徴とする。
【００１５】
さらに、上端開口および汚物落下口を有するボール部と、このボール部の上面側に開閉自在に設置される便座及びカバーと、前記汚物落下口に汚物貯留部を介して連通する排出部を有する便器を備えるトイレ装置に於いて、前記便器に、前記汚物落下口を開閉する汚物受け体の基端部が片持ち式に一体的に設けられた水平回転軸を駆動する第１駆動ユニットと前記汚物受け体の受け面に対して洗浄水を噴射する噴射ノズルを有する第４駆動ユニットをそれぞれ設け、一方、前記第１駆動ユニットを昇降動させる第２駆動ユニット及び前記汚物貯留部と前記排出部を仕切るせき止め体を開閉させる第３駆動ユニットは存在せず、そして、前記第１駆動ユニット及び第４駆動ユニットの各駆動は、それぞれ情報処理手段により制御されることを特徴とする。
【００１６】
加えて、上記汚物受け体の基端部を片持ち式に支持する実施形態を発展させたトイレ装置であり、上端開口および汚物落下口を有するボール部と、このボール部の上面側に開閉自在に設置される便座及びカバーと、前記汚物落下口に汚物受け体可動用収納空間を介して連通する排出部を有する便器を備えるトイレ装置であって、前記便器に、前記汚物落下口を開閉すると共に、常態時、臭い逆流防止用の水を貯めることができる凹所形状の汚物受け体の基端部が片持ち式に一体的に設けられた水平回転軸を駆動する第１駆動ユニットと、前記汚物受け体の受け面に対して洗浄水を噴射する噴射ノズルを有する第４駆動ユニットをそれぞれ設け、一方、前記第１駆動ユニットを昇降動させる第２駆動ユニット及び前記汚物受け体可動用収納空間と前記排出部を仕切るせき止め体を開閉させる第３駆動ユニットは存在せず、
さらに、前記便器に、常態時、前記排出部の排出孔を閉じる臭い封止弁を開閉自在に設け、そして、前記第１駆動ユニット及び第４駆動ユニットの各駆動は、それぞれ情報処理手段により制御されることを特徴とする。
【００１７】
この発展形態のトイレ装置に於いて、ボール部の汚物落下口を形成する周端部は上面凹所状の汚物受け体に略囲まれていることを特徴する。また第１駆動ユニットを構成する昇降体には、操作レバーの作動端部が連係するように接続し、少なくとも停電時、前記操作レバーを操作すると、第１駆動ユニットの駆動力に代わることを特徴する。
【発明の効果】
【００１８】
（ａ）独立請求項（請求項１と請求項６と請求項７と請求項１０、請求項１２及び請求項１４）に記載の各発明は、例えば汚物落下口を開閉する汚物受け体が設けられた水平回転軸を駆動する第１駆動ユニットのみならず、汚物受け体の受け面に対して洗浄水を噴射する噴射ノズルを有する第４駆動ユニットをそれぞれ設けたので、従来の如く、ボールの内面を全面的に綺麗に洗浄する洗浄水等を用いて「汚物」を排出部へ流すのではなく、前記噴射ノズルから噴射される洗浄水のみを利用して、局部的に汚物受け体の受け面を洗浄することもできるので、極力、節水することが可能になる。なお、第３駆動ユニットを備えている各独立請求項に記載の発明は、汚物貯留部にそのまま残っている洗浄水（方法の発明では、汚物落下口閉鎖工程Ｇが終了したとき、汚物貯留部にそのまま残っている汚物受け体を洗浄した洗浄水）を、「汚物排出用の水」として利用するので、可能な限り節水型のトイレ装置及び汚物処理方法を提供することができる。
（ｂ）請求項２に記載の発明は、少なくとも汚物受け体の周縁又は汚物落下口の周縁のいずれかにパッキンが一体的に設けられているので、汚物の臭いが便器のボールを介して便器外に漏れない。また可能な限り汚物の臭いが便器の外に漏れないようにすることができる。
（ｃ）請求項３に記載の発明は、第１駆動ユニットは、少なくとも一つの第２駆動ユニットの垂直螺杆に螺合する螺合部材と、この螺合部材に固定された第１のモータと、この第１モータの出力軸に一端部が結合する水平回転軸を備えているので、いわゆる水平回転軸を一つの螺合部材で片持ち式に支持することになるが、かような実施形態であっても、上記（ａ）の課題を達成することができる。
（ｄ）請求項４に記載の発明は、請求項３に於いて、水平回転軸の他端部は、一つの第２駆動ユニットと対をなす他の第２駆動ユニットの第２垂直螺杆に螺合する螺合部材に支持されているので、汚物受け体を有する水平回転軸は、バランス良く昇降動し、汚物落下口の周縁部に対する汚物受け体の周縁部の圧接力も均等に作用する。つまり、汚物落下口の周縁部と汚物受け体の周縁部の間に隙間が生じない。
（ｅ）請求項５に記載の発明は、請求項１に於いて、せき止め体は、第３駆動ユニットの第３モータで回転するピニオンと螺合するラックを一側面に有するので、せき止め体は便器本体内の対向するガイドレールによってスムースに開閉する。
（ｆ）請求項７に記載の発明は、第１実施形態よりも簡単な構造の節水型のトイレ装置、すなわち、第１実施形態の第２駆動ユニット（汚物受け体２２を昇降動させるための各部材）３１に相当する駆動ユニットは存在しないので、製作が容易で、かつ、安価である。また汚物の臭いが便器の外に漏れない。
（ｇ）請求項８に記載の発明は、請求項７に於いて、ボール部の汚物落下口に周設した環状軸受け部に汚物受け体を有する水平回転軸が軸支されているので、水平回転軸の脱着が容易である。
（ｈ）請求項９に記載の発明は、請求項７に於いて、水平回転軸は汚物受け体の略中心部を通っているので、汚物受け体が汚物を受けたとき、該汚物を略均等割合で受け止めることができると共に、回転時、汚物受け体からの摩擦抵抗を受けても、容易に回転可能である。
（ｉ）請求項１０記載の発明は、便器の設けた第１駆動ユニットの構成がやや複雑化するものの、第２実施形態と同様の効果を得ることができる。
（ｊ）請求項１１記載の発明は、二分割された汚物受け体は、互いに同期するので、開閉バランスを保つことができると共に、効果的に汚物を自然落下されることができる。
（ｋ）請求項１２及び請求項１３に記載の各発明は、第１実施形態よりも簡単な構造の節水型のトイレ装置、すなわち、第１実施形態の第２駆動ユニット（汚物受け体２２を昇降動させるための各部材）３１に相当する駆動ユニット及び第３駆動ユニット（せき止め体４５を昇降動させるための各部材）４１に相当する駆動ユニットが存在しないので、製作が容易で、かつ、安価である。
（ｌ）請求項１４記載の発明は、簡単な構成により、ボール部の汚物落下口側及び排出部側の両方から便器の外に流れる臭いを二重的に防止することができる。
（ｍ）請求項１５記載の発明は、ボール部の汚物落下口を形成する周端部は、上面凹所状の汚物受け体に略囲まれているので、排出部側から便器の外に流れる臭いを確実に封止することができる。なお、望ましくは、汚物落下口を形成する周端部を傾斜状に形成し、一方、上面凹所状の汚物受け体の底面も前記傾斜状にぴったりと当接するように傾斜状に構成する。
（ｎ）請求項１６記載の発明は、第１駆動ユニットを構成する昇降体には、操作レバーの作動端部が連係するように接続し、少なくとも停電時、前記操作レバーを操作すると、第１駆動ユニットの駆動力に代わるので、いつでも使用することができる。
【図面の簡単な説明】
【００１９】
図１乃至図１１は本発明の第１実施形態を示す各説明図（第１の物の発明）、図１２及び図１３は方法の発明を示す各説明図。図１４乃至図１８は本発明の第２実施形態を示す各説明図（第２の物の発明）である。図１９乃至図２２は本発明の第３実施形態を示す各説明図（第３の物の発明）である。図２３乃至図２５は本発明の第４実施形態を示す各説明図（第４の物の発明）である。図２６乃至図３０は第４実施形態を発展させた第５実施形態を示す各説明図（第５の物の発明）である。図３１乃至図３３は第５実施形に他の構成を加味した第６実施形態を示す各説明図（第６の物の発明）である。
【図１】トイレ装置のブロック図（第１の物の発明）。
【図２】トイレ装置を構成する便器のカバーを開いた斜視からの説明図。
【図３】図２を基準とした平面視からの説明図。
【図４】便器と共に複数の駆動ユニットを概略的に示した説明図。
【図５】第１駆動ユニットと第２駆動ユニットを組み合わせた斜視からの説明図。
【図６】第２駆動ユニットの駆動力によって第１駆動ユニットが昇降動する旨の説明図。
【図７】第１駆動ユニットの駆動力により汚物受け体が下向き方向に回転する説明図。
【図８】第３駆動ユニットの説明図。
【図９】第３駆動ユニットの駆動力によってせき止め体が開閉する旨の説明図。
【図１０】第４駆動ユニットの説明図。
【図１１】第４駆動ユニットの噴射ノズルが下向きの汚物受け体を洗浄する旨の説明図。
【図１２】トイレ装置の汚物処理方法を示す工程図（方法の発明）。
【図１３】情報処理手段のフローチャート。
【図１４】第２実施形態のトイレ装置のブロック図（第２の物の発明）。
【図１５】便器と共に主に第１駆動ユニットを正面側から示した概略断面説明図。
【図１６】便器と共に複数の駆動ユニット（駆動ユニット）を側面側から示した初期状態の概略断面説明図。
【図１７】第１駆動ユニット（第１駆動ユニット）の斜視からの説明図。
【図１８】汚物受け体、せき止め体及び「噴射ノズル」の作用（作動方向）を示す説明図。
【図１９】第３実施形態のトイレ装置のブロック図（第３の物の発明）。
【図２０】便器と共に複数の駆動ユニットを側面側から示した初期状態の概略断面説明図。
【図２１】第１駆動ユニットの平面側からの説明図。
【図２２】汚物受け体、せき止め体及び「噴射ノズル」の作用（作動方向）を示す説明図。
【図２３】第４実施形態の便器と共に複数の駆動ユニットを概略的に示した説明図（第４の物の発明）。
【図２４】第１駆動ユニットと汚物受け体を示す斜視からの説明図。
【図２５】汚物受け体及び噴射ノズルの作用（作動方向）を示す説明図。
【図２６】第５実施形態の便器（便座、カバーは省略）と複数の駆動ユニットを概略的に示した説明図。
【図２７】要部（ボールの下端部と汚物受け体と第１駆動ユニットを構成する水平回転軸及びピニオン）の説明図。
【図２８】図２７に示した要部の作用を示す概略説明図。
【図２９】臭い逆流防止用の臭い封止弁に汚物が入り込んだときの説明図。
【図３０】汚物の重さにより、例えば錘が上方に位置変位し、臭い封止弁から汚物が流れ落ちる状態の説明図。
【図３１】第５実施形態に他の構成要件を加味した第６実施形態の便器（便座、カバーは省略）と複数の駆動ユニットを概略的に示した説明図。
【図３２】加味した構成要件の斜視からの説明図。
【図３３】加味した構成要件の作用を示す説明図。
【発明を実施するための最良の形態】
【００２０】
図１乃至図１１は本発明の第１実施形態を示す各説明図（第１の物の発明）で、特に、図１はトイレ装置Ｘを構成する情報処理手段Ｙのブロック図である。情報処理手段Ｙは複数の駆動ユニットの駆動を制御する。
【００２１】
まず、図１に於いて、Ｘはトイレ装置で、このトイレ装置Ｘは、情報処理手段Ｙと便器１０を備えている。前記情報処理手段Ｙは、後述の汚物受け体を有する水平回転軸を回転させる第１駆動ユニット２１、この第１駆動ユニットを昇降動させる第２駆動ユニット３１、汚物貯留部と排出部を仕切る後述のせき止め体を開閉させる第３駆動ユニット４１、及び前記汚物受け体の受け面に対して洗浄水を噴射する噴射ノズルを有する第４の駆動ユニット５１等の複数の駆動ユニット２１、３１、４１、５１を制御する。
【００２２】
そのために、前記複数の駆動ユニットの駆動を所定時間経過後にそれぞれ効率的に実行するために、例えばセンサー２の検出信号、タイマー４の時間情報等に基づいて各駆動ユニットを順番に制御するプログラムＰを格納する記憶部１、この記憶部１の前記プログラムＰの格納情報及び便器１０の使用者の有無を検知（感知も含む）する検出信号等に基づいて、前記駆動ユニット２１、３１、４１、５１等の駆動を制御する制御部３、その他、入力部５、出力部６、図示しない表示部などを有する。
【００２３】
なお、前記プログラムＰには、前記センサー２の検出信号に基づいて前記便器１０のカバーを開く駆動ユニットを駆動させるためのプログラム、後述する便器本体１１のボール部１１ｂの内面を洗浄するプログラム等を格納しても良い。ここではプログラムＰに加味しても良い公知乃至周知技術の説明は省略する。
【００２４】
さて、陶器製の便器１０は、便宜上区分けすると、後端部１１ａに一体的又は一体成形されたボール部１１ｂ、このボール部に設けられた汚物貯留部１１ｃ、この汚物貯留部に設けられた排出部１１ｄ等を有する便器本体１１と、この便器本体の前記後端部１１ａの上面に一体的に設置された取り付け台座１２と、この取り付け台座に内外の取付け基端部がそれぞれ軸部１３を介して適宜に枢着され、かつ、前記ボール部１１ｂの上面に開閉自在に位置する便座１４及びカバー１５とから成る。
【００２５】
しかして、前記ボール部１１ｂは、例えば図４で示すように、上端開口１６および汚物落下口１７を有する。また前記汚物貯留部１１ｃは、後述する回転可能な「汚物受け体２２」を介して前記汚物落下口１７と連通する所定容量の汚物貯留部１１ｃを有する。さらに、前記汚物貯留部１１ｃは、後述する開閉可能な「せき止め体４５」を介して傾斜状或いはサイフォン形の排出部１１ｄと連通する。
【００２６】
ここでは陶器製便器１０の細部的事項の説明は割愛するが、実施形態のトイレ装置Ｘも、普通一般の陶器製便器と同様に、便器本体１１の後端部１１ａに連続或いは接続して設けたボール部１１ｂ、このボール部の上面側に枢着手段を介して開閉自在に設置される楕円環状の便座１４及び略平坦のカバー１５を備えている。
【００２７】
そして、汚物貯留部１１ｃは前記ボール部１１ｂの下端部の汚物落下口１７に連通すると共に、下流側の排出部１１ｄにも連通している。
【００２８】
そして、実施形態では、「極力節水する」という本発明の課題を達成するために、前記各部位１１ａ乃至１１ｄを有する便器本体１１に、前記汚物落下口１７を開閉する適宜形状の「汚物受け体２２」が設けられた水平回転軸２３を駆動する第１駆動ユニット２１と、この第１駆動ユニットを昇降動させる第２駆動ユニット３１と、前記汚物貯留部１１ｃと前記排出部１１ｄを仕切る「せき止め体４５」を開く方向及び閉じる方向にそれぞれ移動させる第３駆動ユニット４１と、水平回転軸２３と共に回転可能な汚物受け体２２の受け面２２ａに対して指向し、かつ、洗浄水を噴射する噴射ノズル５４を有する第４の駆動ユニット５１をそれぞれ適宜に設け、前記第１駆動ユニット乃至第４駆動ユニット２１、３１、４１、５１は、それぞれ情報処理手段ＹのプログラムＰにより、好ましくは使用者が使用する度に繰り返し自動制御される。
【００２９】
そこで、次に図５乃至図７を参照にして、第１駆動ユニット２１と第２駆動ユニット３１を説明する。図５は第１駆動ユニット２１と第２駆動ユニット３１を組み合わせた斜視からの説明図である。また図６は第２駆動ユニット３１の駆動力によって第１駆動ユニット２１が昇降動する旨の説明図である。
【００３０】
この図５及び図６に於いて、前述の第１駆動ユニット２１は、便器本体１１の汚物落下口１７を開閉する板状又は皿状或いは又略腕状など尿及び便を受け止めることができる所定形状の「汚物受け体２２」が固定的に設けられた水平回転軸２３と、前記水平回転軸の両端部を回転自在に軸支する左右又は前後一対のブロック状の回転軸保持体２４、２４と、前記回転軸保持体のいずれか一方の側壁に直接又は間接的に配設された横方向の第１のモータ２５とから成り、前記第１のモータ２５の出力軸は前記水平回転軸２３の一端部或いは他端部と適宜に結合している。なお、第１のモータ２５の駆動力を図示しない減速機構や動力伝達手段を介して水平回転軸２３に伝達しても良い。
【００３１】
さらに付言すると、実施形態では、「汚物受け体２２」は、水平回転軸２３のやや幅広の中央部或いは中央部寄りの部位に水平状態に設けられ、かつ、略皿状に形成され、そのやや浅い凹所状の受け面２２ａの周縁部は、汚物落下口１７の口部に周設したパッキン１７ａと圧接可能である。また第１駆動ユニット２１は第２駆動ユニット３１の駆動力により所要量上下方向に昇降動することから、前記一対の回転軸保持体２４、２４は、実施形態の一例では「螺合部材」であり、その一端部には、それぞれ垂直螺合孔２４ａ、２４ａが形成されている。
【００３２】
したがって、第２駆動ユニット３１は第１駆動ユニット２１に関連（例えば螺合部材が接続）して配設され、例えば前述の螺合部材としての回転軸保持体２４、２４の垂直螺合孔２４ａ、２４ａにそれぞれ螺合する左右又は前後一対の垂直螺杆３２、３２と、これらの垂直螺杆の一端部にその出力軸が結合する一組の第２のモータ（同期モータ）３３、３３を備えている。
【００３３】
ところで、第１駆動ユニット２１は、少なくとも一つの第２駆動ユニット３１の垂直螺杆３２に螺合する螺合部材（回転軸保持体）２４と、この螺合部材の側面に固定された第１のモータ２５と、この第１モータの出力軸に一端部が結合する水平回転軸２３を備えていれば良いが、望ましくは、第１駆動ユニット２１の水平回転軸２３をバランス良く昇降動させるために、水平回転軸２３の他端部は、一つの第２駆動ユニット３１と対をなす他の第２駆動ユニット３１の第２垂直螺杆３２に螺合する螺合部材（回転軸保持体）２４に支持されている。
【００３４】
図７は第１駆動ユニット２１の駆動力により汚物受け体が下向き方向に回転する説明図である。実施形態では、皿状の汚物受け体２２は、パッキン１７ａを介して汚物落下口１７の環状周縁部に下方から上方に向かって接触或いは圧接状態なので、そのままの状態では回転することができない。したがって、後述する「トイレ装置の汚物処理方法」で示すように、汚物処理時、汚物落下口１７を閉じている「汚物受け体２２」を有する水平回転軸２３を回転させることができる第１駆動ユニット２１を、第２駆動ユニット３１の駆動力により所要量下降させた後、第１駆動ユニット２１の駆動力により前記水平回転軸２３を介して前記汚物受け体２２を下向き状態に回転（例えば略反転、略半開など）させて汚物を汚物貯留部１１ｃに落下させる。
【００３５】
次に、図８は第３駆動ユニット４１の説明図である。第３駆動ユニットは、便器本体１１に直接又は間接的に設けられた第３モータ４２と、この第３モータで回転するピニオン４３と、このピニオンと螺合する縦方向のラック４４を一側面に有する所定形状の「せき止め体４５」とから成り、前記せき止め体４５の左右両端部は、便器本体１１の内面に形成した垂直或いは斜め方向の一対のガイドレール（実施形態ではやや斜めの溝）２０にスライド自在に嵌め込まれている。図９は、例えば縦長或いは横長矩形状の「せき止め体４５」が開閉する旨の説明図である。このせき止め体４５は、汚物が付着しない素材で形成されている。
【００３６】
次に、図１０は第４駆動ユニット５１の説明図である。第４駆動ユニットは、水源（例えば水道、水タンク等）に図示しない水道管、水供給管等を介して接続する駆動ポンプ（圧送ポンプ）５２と、この駆動ポンプの吐出口に連結された送水管５３と、この送水管の先端部に連結され、かつ、下向き状態の汚物受け体２２の汚れた受け面２２ａに向かって洗浄水を噴射する単数又は複数のスプレー型の噴射ノズル５４等を備えている。図１１は、第４駆動ユニット５１の噴射ノズル５４が下向きの汚物受け体２２の受け面２２ａを局部的に洗浄する旨の説明図である。したがって、実施形態の噴射ノズル５４は、公知技術のボール１１ｂの内面を洗浄する洗浄部材とは別個のものである。
【００３７】
なお、この実施形態の便器本体１１の後端部の略中央部には、図４で示すように水平回転軸２３を上下方向に案内するための細長状切欠部５６が形成されている。この細長状切欠部５６から汚物の臭いが外部に流れる恐れがあるので、好ましくは「汚物の臭いを便器１０の外部に出さないことを目的とする実施形態」の場合には、前記細長状切欠部５６をカバーするカバー体５７を適宜に加味しても良い。
【００３８】
次に図１２は、トイレ装置Ｘの汚物処理方法を示す工程図（方法の発明）である。この汚物処理方法は、例えば第１実施形態のトイレ装置を用いている。
【００３９】
したがって、発明の技術的思想を要約すると、「受け面で汚物を受け止めた汚物受け体を所要量下げる汚物受け体下降工程Ａと、前記汚物受け体を所要量回転させる第１の汚物受け体回転工程Ｂと、前記第１の汚物受け体回転工程により汚物貯留部内の洗浄済みの残留水に混入した前記汚物を排水路に流すためにせき止め体を開放するせき止め体開放工程Ｃと、前記汚物が排水路に流れた後に、前記汚物貯留部と排水路の間を前記せき止め体でせき止めるせき止め工程Ｄと、次に、汚物受け体の下向き受け面をノズルの噴射により洗浄する局部的洗浄工程Ｅと、さらに、前記汚物受け体の受け面を上向きにする第２の汚物受け体回転工程Ｆと、最終に、前記汚物受け体の周縁部で汚物落下口を閉じる汚物落下口閉鎖工程Ｇとを含み、前記各工程の駆動ユニットの駆動は、情報処理手段により制御される」ものである。以下、説明の便宜上、第１実施形態のトイレ装置Ｘの構成及び符号をそのまま援用して、詳細に説明する。
【００４０】
前述したように、前記便器１０は、少なくとも上端開口１６および汚物落下口１７を有するボール部１１ｂ、このボール部の上面側に開閉自在に設置される便座１４及びカバー１５、前記汚物落下口１７と連通すると共に、汚物貯留部１１ｃと連通する排出部１１ｄを備えている。
【００４１】
まず、Ａは汚物受け体下降工程である。この汚物受け体下降工程Ａは、汚物処理時、前記汚物落下口１７を、パッキン１７ａを介して閉じている略皿状の汚物受け体２２を有する水平回転軸２３を回転させる第１駆動ユニット２１を、第２駆動ユニット３１の駆動力により所要量下降させる第１ステップである。第１駆動ユニット２１の下降量は、前記略皿状の汚物受け体２２が自由に回転する程度で、汚物落下口１７の口径と汚物受け体の半径を考慮して決めている。実施形態では、第１駆動ユニット２１の全体は、同期手段（一対の垂直螺杆３２及び螺合体としての回転軸保持体２４、同期軸としての水平回転軸２３）を介して水平状態で昇降動する。
【００４２】
次に、Ｂは汚物を受け止めた受け面２２ａが下向きになるように水平回転軸２３を所要量回転させる第１の汚物受け体回転工程である。この第１の汚物受け体回転工程Ｂは、第１駆動ユニット２１の駆動力により前記水平回転軸２３を介して汚物受け体２２を下向き状態に回転させて汚物を汚物貯留部１１ｃに落下させる第２ステップである。実施形態では、前記汚物受け体２２は、例えば略１８０度反転させることにより、汚物受け体２２の受け面２２ａに付着した汚物を自然落下させる。この時、汚物はせき止め体４５にせき止めされている汚物貯留部１１ｃ内の洗浄済みの水に混入する。
【００４３】
次に、Ｃはせき止め体開放工程である。このせき止め体開放工程Ｃでは、第３駆動ユニット４１の駆動力により汚物貯留部１１ｃと前記排出部１１ｄを仕切る「せき止め体４５」を開く方向へ移動させ、汚物貯留部１１ｃの汚物を排出部１１ｄへと流す第３ステップである。前記排出部１１ｄは、汚物が自然に流れるように下り坂或いは傾斜状にするのが望ましい。
【００４４】
次に、Ｄはせき止め工程である。このせき止め工程Ｄは、第３駆動ユニット４１の駆動力により、板状の「せき止め体４５」を閉じる方向へ移動させて汚物貯留部１１ｃと排出部１１ｄを仕切る第４ステップである。せき止め体４５は、例えば図４で示したボール部１１ｂの下部の後端部側の空間を形成する便器本体１１の対向内面に上下方向に形成された一対のガイドレール２０をスライドするが、せき止めした時、汚物が自然に流れないようにガイドレール２０の溝の大きさは適宜に設定されている。
【００４５】
次に、Ｅは少なくとも汚れた受け面２２ａを洗浄する局部的洗浄工程である。この局部的洗浄工程Ｅでは、第４駆動ユニット５１の噴射ノズル５４を噴射させて下向き状態の汚物受け体２２の汚れた受け面２２ａを洗浄する第５ステップである。これにより、汚れた受け面２２ａは綺麗になると共に、洗浄水はせき止め状態の汚物貯留部１１ｃに溜まる。したがって、洗浄水に汚物が混合したとき、流れ易くなる。汚物貯留部１１ｃは所定の容積なので、第４駆動ユニット５１の駆動ポンプ５２の駆動時間或いは洗浄水の量は、発明の課題（節水型のトイレ装置Ｘ、その汚物処理方法）を考慮して適宜に設定されている。
【００４６】
次に、Ｆは汚物を受け止めた受け面２２ａが上向きになるように水平回転軸２３を所要量回転させる第２の汚物受け体回転工程である。この第２の汚物受け体回転工程Ｆは、第１駆動ユニット２１の駆動力により水平回転軸２３を介して反転状態の汚物受け体２２を回転させ、該汚物受け体の洗浄された受け面２２ａを上向き状態にする第６ステップである。
【００４７】
最後に、Ｇはボール部の汚物落下口閉鎖工程である。この汚物落下口閉鎖工程Ｇでは、第２駆動ユニット３１の駆動力により第１駆動ユニット２１を全体として所要量上降させ、汚物受け体２２の周縁部でボール部の汚物落下口１７を閉じる第７ステップである。
しかして、上記の各ステップＡ乃至Ｇは、図１で示した情報処理手段Ｙにより、順番に制御される。
【００４８】
ところで、実施形態の情報処理手段ＹのプログラムＰは、好ましい一例を述べたものであり、例えば便器本体１１の排出部１１ｄに汚物が溜まっている場合、例外的に、「局部的洗浄工程Ｅ」と「せき止め体開放工程Ｃ」とを適宜に組み合わせて、所定時間だけ「せき止め体４５」を開く方向へ移動させて汚物貯留部１１ｃと排出部１１ｄを連通状態にし、かつ、噴射ノズル５４から洗浄水を所要量噴射して、前記排出部１１ｄに汚物を下流側に押し流すことができる。
【００４９】
なお、図１３は情報処理手段ＹのプログラムＰに基づくフローチャートを簡単に示したものである。情報処理手段ＹのプログラムＰの実行は、例えば使用者が大便をして便座１４から離れたとき、或いは使用者が便座１４から離れて所定エリアに存在しなくなったとき、或いは又洗浄用のスイッチ釦を押したときに開始する。例えば使用者が大便をして便座１４から離れたとき、タイマー４がカウントを開始する。カウントを開始してから所定時間ｔ１経過後に、汚物処理工程Ａ〜Ｇが、それぞれ所定時間ｔ２、ｔ３…ｔｎ経過後に実行される。汚物落下口閉鎖工程Ｇが終了したとき、汚物貯留部１１ｃには、汚物受け体２２を洗浄した洗浄水がそのまま残っている。
【実施例】
【００５０】
実施形態では、弾性のパッキン１７ａは、ボール部１１ｂの汚物落下口１７の周縁部に設けられているが、もちろん、汚物受け体２２の周縁部に設けても良い。
【００５１】
次に、図１４乃至図１８は本発明の第２実施形態を示す各説明図（第２の物の発明）である。なお、第２実施形態の説明に当って、第１実施形態と同一の部分には同一又は同様の符号を付して重複する説明を割愛する。この第２実施形態の主たる課題は、第１実施形態のそれと同一である。
【００５２】
図１４は本発明の第２実施形態の図１と同様のトイレ装置Ｘ１のブロック図である。このトイレ装置Ｘ１も、第１実施形態と同様に便器１０Ａと情報処理手段Ｙ１を有する。但し、情報処理手段Ｙ１のプログラムＰには、第１実施形態の第１駆動ユニットを昇降動させる工程は存在しない。
【００５３】
さて、図１４で示すように、第１駆動ユニット２１Ａは第１実施形態の第１駆動ユニット２１に相当する。また第３駆動ユニット４１Ａは第１実施形態の第３駆動ユニット４１に相当する。さらに、第４駆動ユニット５１Ａは第１実施形態の第４駆動ユニット５１に相当する。したがって、第２実施形態は第１実施形態の第２駆動ユニット（汚物受け体２２を昇降動させるための各部材）３１に相当する駆動ユニットは存在しない。
【００５４】
そこで、この第２実施形態のトイレ装置Ｘ１が第１実施形態のトイレ装置Ｘと主に異なる事項は、（ａ）便器本体１１Ａのボール部１１ｂの汚物落下口１７Ａに周設した環状軸受け部６１に汚物受け体２２Ａを有する水平回転軸２３Ａが軸支されている点、（ｂ）水平回転軸２３Ａの一端部に連結された第１の駆動モータ２５Ａが直接便器本体１１Ａに形成した支持孔（嵌合部）６２に嵌合状態で固定的に支持されている点、（ｃ）汚物受け体２２Ａは、真円又は楕円状の弾性円板であり、少なくとも周縁部が弾性変位及び弾性変位復帰可能である点、（ｄ）汚物受け体２２Ａの表面は汚れが簡単に落ちるように適宜に被膜処理されている点、（ｅ）臭いが便器１０Ａの外に漏れないようにするカバー体等が不要である点である。
【００５５】
ところで、図１６は便器１０Ａと共に複数の駆動ユニット（駆動ユニット）２１Ａ、４１Ａ、５１Ａを側面側から示した初期状態の概略断面説明図、図１６は第１駆動ユニット（第１駆動ユニット）２１Ａの説明図、図１８は「汚物受け体２２Ａ」、「せき止め体４５」及び「噴射ノズル５４」の回転方向及び移動方向を示す説明図であるが、これらの作用は第１実施形態と同様なので、以下、簡単に説明する。
【００５６】
この第２実施形態のトイレ装置Ｘ１は、まず、受け面２２ａで汚物を受け止めた「汚物受け体２２Ａ」を第１駆動ユニット２１Ａのモータ２５Ａの駆動力により所要量回転（例えば１８０度）させる。汚物受け体２２Ａが所要量回転すると、第３駆動ユニット４１Ａの「せき止め体４５」でせき止めされ、かつ、汚物貯留部１１ｃに存在する洗浄水（例えば当該使用前に汚物受け体２２Ａを洗浄した少量の水）の中に汚物が自然落下する。
【００５７】
そこで、所定時間経過後（例えば４秒、５秒など）、前記第２駆動ユニット４１Ａのモータ４２の駆動力により、せき止め体４５が一対のガイドレール２０に案内されて上昇し、これにより前記汚物貯留部１１ｃと排出部１１ｄが連通状態になるので、前記汚物はせき止めされていた少量の水と共に勢いよく排出部１１ｄへと流れ出す。
【００５８】
そして、また所定時間経過後（例えば４秒、５秒など）、前記第３駆動ユニット４１Ａのモータ４２の駆動力により、せき止め体４５が一対のガイドレール２０に案内されて初期位置まで下降する。これにより、汚物貯留部１１ｃと排出部１１ｄが遮蔽される。
その後、第４駆動ユニット５１Ａの駆動ポンプ５２が起動し、噴射ノズル５４から洗浄水が短い時間（１秒、２秒、３秒など）噴射され、これにより、逆様状態の汚物受け体２２Ａの汚れている凹所状の受け面２２ａが洗浄される。
【００５９】
上記短い洗浄時間（所定時間）経過後、第１駆動ユニット２１Ａのモータ２５Ａの駆動力により、水平回転軸２３Ａを所要量回転（例えば１８０度反転）させ、これにより汚物受け体２２Ａの凹所状の受け面２２ａは上向き状態（便待ち姿勢）となる。この時、弾性体としての汚物受け体２２Ａの周縁部は汚物落下口１７Ａに周設した環状軸受け部６１の周縁部に密着状態になる。
【００６０】
以上のとおり、この第２実施形態は、第１実施形態の第２駆動ユニット３１に相当する駆動ユニットは存在しないので、簡単かつ安価に製作をすることができる。
【００６１】
次に図１９乃至図２２は、本発明の第３実施形態を示す各説明図である。なお、第３実施形態は前記第２実施形態の設計変更例に相当するので、この第３実施形態の説明に当って、第２実施形態と同一の部分には同一又は同様の符号を付して重複する説明を割愛する。
【００６２】
図１９の各駆動ユニットに於いて、２１Ｂは第１駆動ユニット、４１Ｂは第３駆動ユニット、５１Ｂは第４駆動ユニットである。第１実施形態の図１と第３実施形態の図１９を比較すると明らかなように、第２駆動ユニット３１は存在しない。したがって、情報処理手段Ｙ２のプログラムＰには、第１実施形態の第１駆動ユニット２１を昇降動させる工程は存在しないので、より簡単な物になっている。
【００６３】
ここで、第２実施形態との相違点を簡単に記述する。（ａ）第１駆動ユニット２１Ｂの汚物受け体２２Ｂが二分割されている点、（ｂ）二分割された汚物受け体２２Ｂは、略同期状態で開閉する点、（ｃ）二分割された汚物受け体の各形状は、それぞれ平面視略半円弧状であり、その基端部に相当する軸部は左右一対の水平軸に一体的に設けられている点、（ｄ）噴射ノズル５４Ｂが複数個あり、二分割された汚物受け体２２Ｂが所定の角度まで開いたときに、洗浄水が各受け面２２ａに当たるように、その先端部が指向している点である。
【００６４】
付言すると、例えば図２２の便器本体１１Ｂを基準にすると、左右一対の軸受け部（支持片）７１が、ボール部１１ｂの汚物落下口１７Ｂの下端部外周縁に対向するように固定され、固定部材である軸受け部７１にパイプ状軸部７５が回転可能に設けられ、さらに、これらのパイプ状軸部７５に水平回転軸２３Ｂがそれぞれ一体的に嵌挿されている。そして、二分割された汚物受け体２２Ｂの略直線状の基端部は、前記パイプ状の軸部７５に溶着或いは一体成形されることにより、前記水平回転軸２３Ｂと一緒に正転又は反転することができるように構成されている。
【００６５】
また第１駆動ユニット２１Ｂは、第１のモータ２５Ｂと、同期手段を構成する大小の歯車群７０と、これらの大小の歯車群の伝達力により回転する左右一対の汚物受け体２２Ｂと、これらの汚物受け体２２Ｂと一体的に協働する左右一対の水平回転軸２３Ｂとから成り、前記左右一対の汚物受け体２２Ｂは、前記第１駆動ユニット２１Ｂの駆動力により、図２２で示すように略水平状態から外方向（例えば略１７０度）へと開き、開いた後に略水平状態に戻る。さらに、噴射ノズル５４Ｂは、先端部が、例えば逆ハの字状に設けられている。
【００６６】
第３実施形態の作用は、第２実施形態と同様なので、以下、簡単に説明する。このトイレ装置Ｘ２は、まず、受け面２２ａで汚物を受け止めた「汚物受け体２２Ｂ」を、第１駆動ユニット２１Ｂのモータ２５Ｂの駆動力によって左右一対の水平回転軸２３Ｂをそれぞれ略同時に所要量回転（例えば１７０度）させる。次に汚物受け体２２Ｂが所要量回転すると、第３駆動ユニット４１Ｂの「せき止め体４５」でせき止めされ、かつ、汚物貯留部１１ｃに存在する洗浄水（例えば当該使用前に汚物受け体２２Ｂを洗浄した少量の水）の中に汚物が自然落下する。
【００６７】
そこで、所定時間経過後（例えば４秒、５秒など）、前記第３駆動ユニット４１Ｂのモータ４２の駆動力により、せき止め体４５が一対のガイドレール２０に案内されて上昇し、これにより前記汚物貯留部１１ｃと排出部１１ｄが連通状態になるので、前記汚物はせき止めされていた少量の水と共に勢いよく排出部１１ｄへと流れ出す。
【００６８】
そして、また所定時間経過後（例えば４秒、５秒など）、第３駆動ユニット４１Ｂのモータ４２の駆動力により、せき止め体４５が一対のガイドレール２０に案内されて初期位置まで下降する。これにより、汚物貯留部１１ｃと排出部１１ｄが遮蔽される。
その後、第４駆動ユニット５１Ｂの駆動ポンプ５２が起動し、複数の噴射ノズル５４Ｂから洗浄水が短い時間（１秒、２秒、３秒など）噴射され、これにより、逆様状態の汚物受け体２２Ｂの汚れている受け面２２ａが洗浄される。
【００６９】
上記短い洗浄時間（所定時間）経過後、第１駆動ユニット２１Ｂのモータ２５Ｂの駆動力により、水平回転軸２３Ｂを所要量回転（例えば１７０度反転）させ、これにより汚物受け体２２Ｂの受け面２２ａは上向き状態（便待ち姿勢）となる。この時、汚物受け体２２Ｂの周縁部は汚物落下口１７Ｂに周設したパッキン１７ａと密着状態になる。
【００７０】
以上のとおり、この第３実施形態は、第２実施例と同様に第１実施形態の第２駆動ユニット３１に相当する駆動ユニットは存在しないので、簡単かつ安価に製作をすることができる。
【００７１】
次に、図２３乃至図２５は本発明の第４実施形態を示す各説明図（第４の物の発明）である。なお、第４実施形態の説明に当って、第１実施形態と同一の部分には同一又は同様の符号を付して重複する説明を割愛する。この第４実施形態の主たる課題は、第１実施形態のそれと同一である。
【００７２】
さて、図２３で示すように、第１駆動ユニット２１Ｃは第１実施形態の第１駆動ユニット２１に相当する。また第４駆動ユニット５１Ｃは第１実施形態の第４駆動ユニット５１に相当する。
【００７３】
したがって、第４実施形態は第１実施形態の第２駆動ユニット（汚物受け体２２を昇降動させるための各部材）３１に相当する駆動ユニット及び第３駆動ユニット（せき止め体４５）４１に相当する駆動ユニットは存在しない。
【００７４】
そこで、図２３及び図２４の各説明図を参照にすると、ほぼ塵取り形状の汚物受け体２２Ｃの基端部の両側壁には、一対の軸部２２ｂ、２２ｂが設けられ軸孔２２ｃ、２２ｃを介して水平回転軸２３Ｃが一体的に設けられている。
【００７５】
さらに説明すると、第４実施形態のトイレ装置Ｘ３は、上端開口１６および汚物落下口１７Ｃを有するボール部１１ｂと、このボール部の上面側に開閉自在に設置される便座１４及びカバー１５と、前記汚物落下口に汚物受け体可動用収納空間１１ｃを介して連通する排出部１１ｄを有する便器１０Ｃを備えるトイレ装置であって、前記便器１０Ｃの便器本体１１Ｃに、前記汚物落下口１７Ｃを開閉する汚物受け体２２Ｃの基端部が片持ち式に一体的に設けられた水平回転軸２３Ｃを駆動する第１駆動ユニット２１Ｃと前記汚物受け体２２Ｃの受け面２２ａに対して洗浄水を噴射する噴射ノズル５４Ｃを有する第４駆動ユニット５１Ｃをそれぞれ設け、一方、前記第１駆動ユニット２１Ｃを昇降動させる第２駆動ユニット及び前記汚物受け体可動用収納空間１１ｃと前記排出部１１ｄを仕切るせき止め体を開閉させる第３駆動ユニットは存在せず、そして、前記第１駆動ユニット２１Ｃ及び第４駆動ユニット５１Ｃの各駆動は、それぞれ情報処理手段により制御される。実施形態では、第１駆動ユニット２１Ｃは、駆動源２５Ｃ（例えば第１のモータ）、この駆動源の駆動力を直線運動から回転運動に変換するラック部材８０及びピニオン８１を含む動力変換手段と、前記ピニオン８１に連係する水平回転軸２３Ｃから成り、前記水平回転軸２３Ｃに前述した汚物受け体２２Ｃの基端部が片持ち式に一体的に設けられている。
【００７６】
図２５は、汚物受け体２２Ｃが水平回転軸２３Ｃと一緒に所定角度まで回転し、その底部の外面が汚物貯留部１１ｃを形成している傾斜面に当接する所まで回転する旨を示す。このように状態で、第４駆動ユニット５１Ｃが起動し、噴射ノズル５４Ｃから汚物受け体２２Ｃの受け面２２ａに向かって洗浄水が噴射される。なお、前記洗浄水は水タンク８５から供給される。
【００７７】
また本発明の各実施形態に於いて、複数の駆動ユニット２１、３１、４１、５１や駆動ユニット２１Ａ、４１Ａ、５１Ａ及び駆動ユニット２１Ｂ、４１Ｂ、５１Ｂや駆動ユニット２１Ｃ、５１Ｃの設置個所は図面に限定されるものではない。
【００７８】
さらに加えて説明すると、図２６乃至図３０に示すトイレ装置Ｘ４は、第４実施形態を発展させた第５実施形態を示す各説明図（第５の物の発明）である。したがって、ここでは、第４実施形態と主に異なる事項をまとめて簡単に説明する。そこで、この第５実施形態のトイレ装置Ｘ４が第４実施形態のトイレ装置Ｘ３と主に異なる事項は、（ａ）便器１０Ｄの便器本体１１Ｄに、該便器本体１１Ｄのボール部１１ｂの傾斜状の汚物落下口１７Ｄを開閉すると共に、常態時、臭い逆流防止用の水Ｗを貯めることができる凹所形状の汚物受け体２２Ｄの基端部が片持ち式に一体的に設けられた水平回転軸２３Ｄを駆動する第１駆動ユニット２１Ｄと、前記汚物受け体２２Ｄの底部の内壁面に相当する傾斜状凹所受け面２２ａに対して洗浄水を噴射する噴射ノズル５４Ｄを有する第４駆動ユニット５１Ｄをそれぞれ設けた点、（ｂ）便器１０Ｄの便器本体１１Ｄに、常態時、排出部１１ｄの排出孔を略密着状態に閉じるお椀状、チリ取り形状等の臭い封止弁９１を、水平軸９２を介して開閉自在に設けた点、（ｃ）前記臭い封止弁９１を閉じる位置に戻す復帰手段、例えば錘９３を断面凹所状の水平軸９２側の基端部の外面に一体的に設けた点、（ｄ）駆動源２５Ｄ（例えば第１のモータ）の配設した箇所が異なると共に、該駆動源２５Ｄを縦ではなく、横の状態に設置し、該駆動源２５Ｄの出力軸の突出端部にラック部材８０と噛合するピニオン９５を設けた点、（ｅ）第４駆動ユニット５１Ｄを構成する噴射ノズル５４Ｄを汚物受け体２２Ｄの水平回転軸２３Ｄ側の基端部に設け、噴射ノズル５４Ｄの先端を汚物受け体２２Ｄの傾斜状凹所受け面２２ａに向けた点である。なお、実施形態では、ボール部１１ｂの汚物落下口１７Ｄを形成する周端部の外周面は、多少余裕をもって上面凹所状の汚物受け体２２Ｄに略囲まれているが、少なくとも水位ＷＬが汚物落下口１７Ｄの上位になるようにするのが好ましい。
【００７９】
上記構成に於いて、常態時、凹所形状汚物受け体２２Ｄは、対向するボール部１１ｂの傾斜状汚物落下口１７Ｄを外嵌合状態に閉じている。この時、凹所形状汚物受け体２２Ｄの傾斜状凹所受け面２２ａに水（例えば洗浄水の一部）Ｗが残っている。この洗浄水Ｗは、タンクから流れ出たもの又は噴射ノズル５４Ｄから噴射されたもの、のいずれであっても良い。好ましくは、利用者が用を足して便座から離れたとき、タンクの水を流すためのレバー、操作ボタン等の操作部を操作すると、自動時に「少量の水（ＷＬの位置になる水量）」がボール部１１ｂの汚物落下口１７Ｄへと流れるように構成する。これにより、排出部１１ｄ側からの臭いが便器１０Ｄの外に漏れない。本実施形態では、便器１０Ｄに、常態時、前記排出部１１ｄの排出孔を閉じる臭い封止弁９１を開閉自在に設けているので、該臭い封止弁が復帰手段の復帰力により閉じると、排出部１１ｄに連通する図示しない排出管側から上昇する臭いもカットすることができる。
【００８０】
そこで、今仮に利用者が、例えば大便をすると、該大便は傾斜状凹所受け面２２ａの水Ｗの中に落ちる。その後、第１駆動ユニット２１Ｄの駆動源２５Ｄ（第１のモータ）が起動すると、凹所形状汚物受け体２２Ｄは開く方向に所要量回転し、前記水Ｗの中に落ちている汚物は汚物受け体可動用収納空間１１ｃを介して落下し、排出部１１ｄへと流れる。この時、第４駆動ユニット５１Ｄが図示しない検知手段の検知信号及び制御部の制御信号に基づき、自動的に起動する。第４駆動ユニット５１Ｄの起動時間はタイマーで設定され、例えば５数秒程度である。第４駆動ユニット５１Ｄが起動すると、噴射ノズル５４Ｄから洗浄水が噴射され、凹所形状汚物受け体２２Ｄの傾斜状凹所受け面２２ａは綺麗に洗浄される。その後、第１駆動ユニット２１Ｄの駆動源２５Ｄが反転し、凹所形状汚物受け体２２Ｄは汚物落下口１７Ｄを閉じる。そして、前述したようにタンクから少量の水Ｗが供給される。
【００８１】
しかして、排出部１１ｄへと流れた汚物は、閉止中のお椀状の臭い封止弁９１の中に入る。汚物はそれなりに重みがあるので、その重量が復帰手段としての錘９３それを超えると、お椀状の臭い封止弁９１は開く方向に回転する。その結果、お椀状の臭い封止弁９１の中に存する汚物は排出管側へと落下する。そうすると、お椀状の臭い封止弁９１は復帰手段９３の復帰力により、閉じる方向に戻る。
【００８２】
図３１乃至図３３に示すトイレ装置Ｘ５は、第５実施形態に他の構成を加味した第６実施形態を示す各説明図（第６の物の発明）である。したがって、説明の便宜上、第５実施形態と同一の構成については、該第５実施形態の符号をそのまま援用し、加味した構成要件のみに新しい符号をつける。これらの図に於いて、符号８０Ａは昇降体の一例としてのラック部材で、このラック部材８０Ａは、先端部にピニオン８１と噛合するラック板８０ａと、このラック板８０ａの後端部（図３１及び図３２では右側）に一体的に設けられたフランジ状のガイド部８０ｂとから成り、前記ラック板８０ａには垂直案内切欠９８が形成されている。また符号９７は自由端部に握り部９７ａを有すると共に、その先端部９７ｂが前記垂直案内切欠９８に係入し、かつ、先端部９７ｂ寄りの部位が便器本体１１Ｄに設けられた支軸９９に軸支されたテコ式の操作レバーである。さらに、符号１００は上端部が前記ラック板８０ａの下端部に適宜に取り付けられ、一方、下端部が便器本体１１Ｄに設けられたバネ端支持部１０１に取り付けられたバネ部材である。バネ部材１００は引っ張りバネであり、操作レバー９７でラック部材８０Ａを上方に持ち上げた場合に於いて、その操作力が解消した場合、ラック部材８０Ａを下方の初期位置へ確実に戻す作用がある。
【００８３】
したがって、この第６実施形態の第１駆動ユニット２１Ｄを構成する昇降体８０Ａには、操作レバー９７の作動端部９７ｂが連係するように接続し、少なくとも停電時、前記操作レバー９７を、例えば上方に操作すると、テコの原理により、第１駆動ユニット２１Ｄの駆動力に代わるものである。このように構成すると、本発明のサブ課題を達成することができる。
【産業上の利用可能性】
【００８４】
本発明は、職場、家庭、各種施設等のトイレ装置及びトイレ装置の汚物処理方法として利用される。
【符号の説明】
【００８５】
Ｘ乃至Ｘ５…トイレ装置、
Ｙ、Ｙ１、Ｙ２…情報処理手段、
１…記憶部、２…センサー、
３…制御部、４…タイマー、
１０、１０Ａ、１０Ｃ…便器、
１１、１１Ａ、１１Ｂ、１１Ｃ…便器本体、
１１ａ…後端部、
１１ｂ…ボール部、
１１ｃ…汚物貯留部或いは汚物貯留部に代わる汚物受け体可動用収納空間、
１１ｄ…排出部、
１４…便座、１５…カバー、
１６…上端開口、
１７、１７Ａ…汚物落下口、
１７ａ…パッキン、
２０…ガイドレール、
２１、２１Ａ、２１Ｂ、２１Ｃ…第１駆動ユニット、
２２、２２Ａ、２２Ｂ、２２Ｃ、２２Ｄ…汚物受け体、
２２ａ…受け面、
２３、２３Ａ、２３Ｂ、２３Ｃ、２３Ｄ…水平回転軸、
２４…螺合部材（回転軸保持体）、
２５、２５Ａ、２５Ｂ、２５Ｃ、２５Ｄ…駆動源（第１のモータ）、
３１…第２駆動ユニット、
３２…垂直螺杆、
３３…第２のモータ、
４１、４１Ａ、４１Ｂ…第３駆動ユニット、
４５…せき止め体、
５１、５１Ａ、５１Ｂ、５１Ｃ、５１Ｄ…第４駆動ユニット、
５４、５４Ｂ、５４Ｃ、５４Ｄ…噴射ノズル、
６１…環状軸受け部、
６２…支持孔（嵌合部）、
７０…大小の歯車群、
７１…軸受け部、
７５…一対の軸部、
８０…ラック部材、
８１…ピニオン、
９１…臭い封止弁、
９７…操作部材、
Ａ…汚物受け体下降工程、
Ｂ…第１の汚物受け体回転工程、
Ｃ…せき止め体開放工程、
Ｄ…せき止め工程、
Ｅ…局部的洗浄工程、
Ｆ…第２の汚物受け体回転工程、
Ｇ…汚物落下口閉鎖工程。
【図１】
2018184721.tif 000003
【図２】
2018184721.tif 000004
【図３】
2018184721.tif 000005
【図４】
2018184721.tif 000006
【図５】
2018184721.tif 000007
【図６】
2018184721.tif 000008
【図７】
2018184721.tif 000009
【図８】
2018184721.tif 000010
【図９】
2018184721.tif 000011
【図１０】
2018184721.tif 000012
【図１１】
2018184721.tif 000013
【図１２】
2018184721.tif 000014
【図１３】
2018184721.tif 000015
【図１４】
2018184721.tif 000016
【図１５】
2018184721.tif 000017
【図１６】
2018184721.tif 000018
【図１７】
2018184721.tif 000019
【図１８】
2018184721.tif 000020
【図１９】
2018184721.tif 000021
【図２０】
2018184721.tif 000022
【図２１】
2018184721.tif 000023
【図２２】
2018184721.tif 000024
【図２３】
2018184721.tif 000025
【図２４】
2018184721.tif 000026
【図２５】
2018184721.tif 000027
【図２６】
2018184721.tif 000028
【図２７】
2018184721.tif 000029
【図２８】
2018184721.tif 000030
【図２９】
2018184721.tif 000031
【図３０】
2018184721.tif 000032
【図３１】
2018184721.tif 000033
【図３２】
2018184721.tif 000034
【図３３】
2018184721.tif 000035